(57)【特許請求の範囲】
【請求項１】
開口部（２）に蓋体（２８）が取り外し可能に装着される合成樹脂製の略角筒状の運搬用容器であって、
前記開口部（２）の外面全体を囲繞するように、水平方向のリブ部分（１５）と傾斜した案内リブ部分（１８）と上下方向のリブ部分（１６）とから構成される断面略逆Ｌ字状の折り返しリブ（１０）が形成されているとともに、前記容器本体（４）の互いに対向する少なくとも短手側の一対の側壁（３２）、（３４）の外面には、前記折り返しリブ（１０）の水平方向への幅が周囲より広く確保されることにより、一対の取っ手（Ａ）、（Ａ）が形成され、さらに前記折り返しリブ（１０）と一部ラップするように、略長方形状の補強用リブ（１２）が上下方向に形成されており、
さらに、前記補強用リブ（１２）の幅が前記水平方向のリブ部分（１５）の突出幅よりも短くされることにより、前記補強用リブ（１２）と前記案内リブ部分（１８）との間に、間隙（１４）が確保されていることを特徴とする運搬用容器。
【発明の詳細な説明】
【０００１】
【発明の属する技術分野】
本発明は、運搬用容器に関するもので、詳しくは、医療関係で使用された廃棄物などを収容するのに好適な運搬用容器に関する。
【０００２】
【従来の技術】
従来から、医療関係で使用された物品、例えば注射針、脱脂綿、カテーテルなどは、密閉性の高い専用容器内に保管され、所定場所まで搬送されている。
このように物品を外部に露見しないように保管または運搬する密閉容器は、図６に示したように、容器本体２０の開口部２２に、フランジ２１と、例えば、断面略逆Ｌ字状の折り返しリブ２４が形成され、このフランジ２１と折り返しリブ２４とによる段部に跨って、上方から蓋体を装着することで開口部２２が密閉されている。一方、折り返しリブ２４の下方には、容器本体２０の強度を向上させるために、折り返しリブ２４に連続して補強用の縦リブ２６が一体に連設されている。
【０００３】
【発明が解決しようとする課題】
ところで、このように形成された運搬用容器では、物品を収容した状態で仮に横転された場合は、図７に示したように、その衝撃力Ｆが折り返しリブ２４から縦リブ２６に伝達され、さらには容器本体２０に伝わって、容器本体２０が変形したり、欠損したり、場合によっては、開口部２２を塞いでいた蓋体が容器本体２０から外れてしまうという問題があった。
【０００４】
本発明はこのような実情に鑑み、容器が横転した場合などに容器本体が変形したり、欠損したり、あるいは、蓋体が外れてしまうことを可及的に防止することが可能な運搬用容器を提供することを目的としている。
【０００５】
【課題を解決するための手段】
上記目的を達成するための本発明に係る運搬用容器は、開口部２に蓋体２８が取り外し可能に装着される合成樹脂製の略角筒状の運搬用容器であって、
前記開口部２の外面全体を囲繞するように、水平方向のリブ部分１５と傾斜した案内リブ部分１８と上下方向のリブ部分１６とから構成される断面略逆Ｌ字状の折り返しリブ１０が形成されているとともに、前記容器本体４の互いに対向する少なくとも短手側の一対の側壁３２、３４の外面には、前記折り返しリブ１０の水平方向への幅が周囲より広く確保されることにより、一対の取っ手Ａ、Ａが形成され、さらに前記折り返しリブ１０と一部ラップするように、略長方形状の補強用リブ１２が上下方向に形成されており、
さらに、前記補強用リブ１２の幅が前記水平方向のリブ部分１５の突出幅よりも短くされることにより、前記補強用リブ１２と前記案内リブ部分１８との間に、間隙１４が確保されていることを特徴としている。
【０００６】
係る構成による本発明によれば、折り返しリブに衝撃に加わっても、間隙が形成されていることにより、その衝撃が直接容器本体に伝わることがないので、容器本体が変形したり、欠損したり、蓋体が外れてしまうことを防止できる。
ここで、前記折り返しリブの水平方向のリブ部分１５と上下方向のリブ部分１６との間が、傾斜した案内リブ部分１８により接続されていることが好ましい。
【０００７】
このような構成であれば、仮に横転して折り返しリブに衝撃力が加わっても、その衝撃力が容器本体に伝達される前に、特に案内リブ部分が大きく変形されるので、本体側の変形、欠損、ならびに蓋体の外れなどを防止することができる。
【０００８】
【発明の実施の形態】
以下、図面を参照しながら本発明の実施例について説明する。
図１、および図２（Ａ）、（Ｂ）、（Ｃ）は本発明の一実施例による運搬用容器を示したものである。
この運搬用容器の容器本体４は、底壁と、４側壁とにより、略角筒状に形成されている。また、この容器本体４は、ポリプロピレンなどの合成樹脂により一体成形されている。
【０００９】
容器本体４の開口部２には、フランジ３と断面略逆Ｌ字状の折り返しリブ１０とが全体を囲繞するように形成されている。そして、容器本体４の短手側の側壁３２，３４の中央部においては、上記した折り返しリブ１０の水平方向への幅が若干広くなっており、これにより、手で持ち上げるのに好適な一対の取っ手Ａ，Ａが形成されている。
【００１０】
このように形成された容器本体４には、その開口部２に、蓋体が着脱自在に装着されることにより、密閉性の高い容器が構成されることになる。
上記折り返しリブ１０は、図３に示したように、水平方向のリブ部分１５と上下方向のリブ部分１６と、これらリブ部分１５、１６間を接続する案内リブ部分１８とからなり、案内リブ部分１８は斜めに傾斜して形成されている。
【００１１】
一方、取っ手Ａ，Ａを構成する少し幅が広くなった部分での折り返しリブ１０の下方には、上下方向に２つの補強用リブ１２、１２が形成され、これらのリブ１２により開口部２近傍の強度が向上されている。また、補強用リブ１２と少なくともリブ部分１６との間は、連続しておらず、ここに間隙１４が確保されている。
【００１２】
このように形成された容器本体４の開口部２に、図４に示したようにシール部材２７を備えた蓋体２８が装着されることにより、開口部２が密閉される。以下に、本実施例の作用について説明する。
今、容器本体４内には、例えば、医療用の廃棄物が収容され蓋体２８が緊密に嵌合されている。この状態から、図５に示したように容器本体４が横転されると、先ず、折り返しリブ１０のリブ部分１６に衝撃力Ｆが作用する。すると、その衝撃力Ｆは、リブ部分１６から傾斜した案内リブ部分１８に力を分散して伝達する。そして、この分散された力を受けて、案内リブ部分１８がリブ部分１６とは異なる方向に変形する。このように、最初に加わった衝撃力Ｆは、力が減衰されてから、リブ部分１５に伝達され、さらに容器本体４（側壁３２）側に伝達される。よって、リブ部分１６などが欠損したり、あるいは蓋体２８が開口部２から外れることが防止される。
【００１３】
このように、本実施例による運搬用容器によれば、蓋が開いたり、容器自体が欠損してしまうことを効果的に防止することができるので、医療用廃棄物などを運搬するのに適している。
以上、本発明の一実施例について説明したが、本発明は上記実施例に何ら限定されない。例えば、上記実施例では、角筒形の運搬用容器を例示したが、円筒形の容器にも本発明を適用することが可能である。また、補強用リブ１２は、短手側の壁面３２，３４のみでなく、周囲の壁面全体に形成されていても良い。また、案内リブ部分１８は、直線状に限定されず、湾曲して形成されていても良い。
【００１４】
【発明の効果】
以上説明したように、本発明に係る運搬用容器によれば、仮に容器本体が横転されたとしても、床などの対象物に直接当接する折り返しリブと補強用リブとの間に、間隙が確保されているので、この間隙の分だけ、折り返しリブが変形し易くなる。したがって、横転したときの衝撃力を減衰させることができ、これにより割れ欠け、あるいは、蓋体の外れを防止することもできる。
【００１５】
さらに、本発明によれば、折り返しリブ部を構成している水平方向のリブ部分と上下方向のリブ部分との間に、傾斜した案内リブ部分が設けられているので、この案内リブ部分が変形されることで、衝撃力を一層を減衰させることができる。したがって、本発明によれば、容器本体が変形したり、蓋体を装着するための折り返しリブの一部が欠けたり、蓋体が外れてしまうという不具合を可及的に防止することができる。
【図面の簡単な説明】
【図１】図１は本発明の一実施例による運搬用容器から蓋体を取り外したときの斜視図である。
【図２】図２（Ａ）は図１に示した容器本体の平面図、同図（Ｂ）は一部破断正面図、同図（Ｃ）は一部破断側面図である。
【図３】図３は図２（Ｂ）の一部を拡大して示す断面図である。
【図４】図４は容器本体に蓋体を組み付けたときの断面図である。
【図５】図５は本実施例の容器本体が横転した状態を示す一部拡大断面図である。
【図６】図６は従来の運搬用容器の破断正面図である。
【図７】図７は従来の運搬用容器が横転した状態を示す一部拡大断面図である。
【符号の説明】
２          開口部
４          容器本体
１０        折り返しリブ
１２        補強用リブ
１４        間隙
１５        水平方向のリブ部分
１６        上下方向へのリブ部分
１８        案内リブ部分
２８        蓋体
３２、３４  側壁
【図１】
0004201971.tif 000002
【図２】
0004201971.tif 000003
【図３】
0004201971.tif 000004
【図４】
0004201971.tif 000005
【図５】
0004201971.tif 000006
【図６】
0004201971.tif 000007
【図７】
0004201971.tif 000008